(57)【要約】【課題】レンジフードファンのインテリア性を引き出し、豪華性を付与して、キッチンの使用感を高揚させるレンジフードファンを提供する。【解決手段】フード体１の上面側に上方への光透過部８を設けると共に、その光透過部８の下側に下方への光透過部９を設け、光透過部８、９間に照明器具１０を設けて照明手段Ｂを構成して、レンジフードファンＡを使用者に見えない照明器具１０でライトアップする。【選択図】  図２
2005016842.tif 000002
【特許請求の範囲】
【請求項１】
キッチンの加熱調理器具上方に設置され調理によって発生する油煙、廃ガスを捕集排気するレンジフードファンにおいて、フード体から上方に向けて光を照射する照明手段を設けたことを特徴とするレンジフードファン。
【請求項２】
キッチンの加熱調理器具上方に設置され調理によって発生する油煙、廃ガスを捕集排気するレンジフードファンにおいて、フード体の上面側に上方への光透過部を設けていることを特徴とするレンジフードファン。
【請求項３】
キッチンの加熱調理器具上方に設置され調理によって発生する油煙、廃ガスを捕集排気するレンジフードファンにおいて、フード体の上面側に上方への光透過部を設けると共に、その光透過部の下側に下方への光透過部を設け、光透過部間に照明器具を配して照明手段を構成していることを特徴とするレンジフードファン。
【請求項４】
前記照明手段が、排気手段の作動に連動することを特徴とする請求項１〜３いずれか１項記載のレンジフードファン。
【請求項５】
前記照明手段が、キッチン用照明手段の点灯・消灯に連動することを特徴とする請求項１〜３いずれか１項記載のレンジフードファン。
【発明の詳細な説明】
【０００１】
【発明の属する技術分野】
本発明は、レンジフードファン、更に詳しくはキッチンの装飾的美感を向上させてキッチンに豪華性を付与するレンジフードファンに関するものである。
【０００２】
【技術背景】
従来のレンジフードファンは、調理時に煮焚き具合や焼き具合が手元で見えるように加熱調理器具を照らす照明手段を備えている。
【０００３】
【発明が解決しようとする課題】
ところで、キッチンの天井部には蛍光灯等の照明器具が備えられ、キッチン全体に明るく照らすように設けられているが、一般的に複数の照明器具を設けることはなく、蛍光灯１本でキッチン全体を照射するようにキッチンのほぼ中央部に設けられている。
一方、レンジフードファンは、排気ダクトの配管が必要なことから、キッチンの壁側に設けられることが多い。
そのため、現実的にはその天井周辺部分には、十分な明かりが照射されず、暗い雰囲気の中にレンジフードファンが備え付けられているのが殆どである。
しかしながら、近年ではデザイン性を重視したレンジフードファンが主流になっており、インテリア用品として取り扱われる傾向にあり、見せるレンジフードファンが多い中、上述の通りにそのデザイン性が生かされない環境下で使用されているのが現状である。
【０００４】
本発明は上記従来事情に鑑みてなされたもので、その目的とする処はレンジフードファンのインテリア性を引き出し、豪華性を付与して、キッチンの使用感を高揚させるレンジフードファンを提供することにある。
【０００５】
【課題を解決するための手段】
前記課題を達成するために講じた技術的手段は、キッチンの加熱調理器具上方に設置され調理によって発生する油煙、廃ガスを捕集排気するレンジフードファンにおいて、フード体から上方に向けて光を照射する照明手段を設けたことを特徴とするレンジフードファンである（請求項１）。
【０００６】
前記手段にあっては、フード体から上方に向けて照射する光で、レンジフードファンをライトアップすると共に従来暗い雰囲気であったキッチン天井部分を明るくする。
【０００７】
また、キッチンの加熱調理器具上方に設置され調理によって発生する油煙、廃ガスを捕集排気するレンジフードファンにおいて、フード体の上面側に上方への光透過部を設けた構成にあっては、使用者に見えない照明器具でレンジフードファンをライトアップする（請求項２）。
【０００８】
更に、キッチンの加熱調理器具上方に設置され調理によって発生する油煙、廃ガスを捕集排気するレンジフードファンにおいて、フード体の上面側に上方への光透過部を設けると共に、その光透過部に下側に下方への光透過部を設け、光透過部間に照明器具を設けて照明手段を構成していると、上方用の照明と下方用の照明とが兼用される（請求項３）。
【０００９】
前記照明手段が、排気手段の作動に連動したり、キッチン用照明手段の点灯・消灯に連動する構成を採用すると、好適なものである（請求項４、５）。
【００１０】
【発明の実施の形態】
次に、本発明の実施の形態を説明する。
図１及び図２は、本発明レンジフードファンの第１の実施の形態を、図３は、同第２の実施の形態を示している。第１の実施の形態について説明すると、符号Ａは、レンジフードファンである。
【００１１】
レンジフードファンＡは、下面を開放した扁平状のフード体１の上面中央部に後半側に上下に伸縮可能なダクトカバー２を立設し、そのダクトカバー２内に収容して送風機ユニット（排気手段）３をフード体１の上面に設置すると共に排気ダクト４をそのダクトカバー２で視認不能に隠蔽し、フード体１内に整流板５を配設して、その四周とフード体１の開放縁との間に油煙、廃ガスの吸込間隙Ｓを形成し、その油煙、廃ガスに含まれる油脂分を整流板５の背後に配設したグリスフィルター６で除去する構成にしてある。
【００１２】
また、レンジフードファンＡは、フード体１の上面前半側を前方に向かって傾斜する下向湾曲面１１で形成し、その下向湾曲面１１の中間部所要幅寸法を無色透明や有色透明のガラス１８で構成して上方への光透過部８とし、その光透過部８に対してスペースを隔ててその下側に同じく無色透明または有色透明なガラス１９を配設して下方への光透過部９を形成している。
【００１３】
そして、両光透過部８、９間には照明器具１０として蛍光灯を設置して照明手段Ｂを構成し、それによってフード体１から上方及び加熱調理器具に光を照射するようになっている。
【００１４】
前記照明器具１０は、前記排気手段３の作動に連動して、点灯・消灯するように制御されている。
【００１５】
そのため、レンジフードファン使用時に自動点灯して、レンジフードファン自身をライトアップすると共に、その回りのウォールキャビネットＣ、キッチン天井Ｄを明るく照らして、レンジフードファンのデザインを一層際立たせることができる。
【００１６】
次に、図３に示す第２の実施の形態を説明すると、この実施の形態は、フード体１の上面側を、立設するダクトカバー２を支持する部分を除いて無色透明や有色透明のガラス１８を配設して上方への光透過部８を形成し、その光透過部８の下側に必要本の照明器具（蛍光灯）１０を配設して、照明手段Ｂを構成して、広い範囲から上方を照らすように構成されている。
【００１７】
この実施の形態において、照明器具１０の下位に更に下方への光透過部を設けて、前記第１の実施の形態と同じ様に加熱調理器具を照らすようにしても良いものである。
【００１８】
この実施の形態にあっても、照明器具１０は、排気手段３の作動に連動して、点灯・消灯するように制御されている。
【００１９】
尚、本発明では照明器具は、キッチン用照明手段の点灯・消灯に連動して点灯・消灯するよう制御するようにしても自由なものであるし、また、図示するようなキッチンの壁側に設置されるレンジフードファンばかりでなく、中央等に設置するアイランド型と呼称されるレンジフードファンをも対象とするものである。
また、前記光透過部８、９は、半透明であっても差し支えないものである。
【００２０】
【発明の効果】
本発明は以上のように、フード体から上方に向けて光を照射するようにして、レンジフードファン自身をライトアップするようにしたから、レンジフードファンのデザインをキッチン使用者が堪能できる。
しかも、従来ではキッチンに備えた照明装置だけでは光が行き届かなかったキッチン天井、隣設するウォールキャビネット等の収容部も明るくするから、レンジフードファンとのコーディネートも楽しめ、キッチンに高級感と豪華性を付与できる。
その上、フード体の上面側に上方への光透過部を設けていると、照明器具の露出（突出）による違和感を与えることなくライトアップされたレンジフードファンのデザインを満喫できる。
更に、フード体上方への光透過部と下方への光透過部との間に照明器具を設けた構成を採用した場合には、加熱調理器具を照らすための照明手段とレンジフードファンをライトアップするための照明手段とを兼用できるので、製品コストの低減、消費電力の低減を図ることができる。
その上、照明手段が、排気手段の作動に連動するものにあっては、加熱調理と同時にレンジフードファンのデザインが楽しめ、また、キッチン用照明手段の点灯・消灯に連動して点灯・消灯する構成を採用するものにあっては、キッチン使用時にレンジフードファンのデザインが楽しめ、共にレンジフードファンをライトアップさせるためのスイッチ操作が不要である。
【図面の簡単な説明】
【図１】第１の実施の形態のレンジフードファンの斜視図。
【図２】縦断側面図。
【図３】第２の実施の形態のレンジフードファンの斜視図。
【符号の説明】
Ａ：レンジフードファン                    １：フード体
Ｂ：照明手段                          ８、９：光透過部
１０：照明器具
【図１】
2005016842.tif 000003
【図２】
2005016842.tif 000004
【図３】
2005016842.tif 000005